(57)【要約】【課題】分岐コンセントないしテーブルタップ等に複数の電気製品の電源プラグが差し込まれている場合でも、電源プラグがどの電気製品であるか容易に判断でき、抜いてはならない電源プラグを抜いてしまう間違いを未然に防ぐこと。【解決手段】電源プラグの表示タグは表面に電気製品の種類または注意事項等の表示部と、電源プラグの端子が差込まれる貫通穴とを備え、前記貫通穴には背面側に突出する端子挟持部が形成され、かつ電気的絶縁材料から形成されている。【選択図】図１
2010050071.tif 000002
【特許請求の範囲】
【請求項１】
表面に電気製品の種類または注意事項等の表示部と、電源プラグの端子が差込まれる貫通穴とを備え、前記貫通穴には背面側に突出する端子挟持部が形成され、かつ電気的絶縁材料から形成された電源プラグの表示タグ。
【請求項２】
前記貫通穴が前記表示タグの長手方向または長手方向と直交する方向に形成された請求項１記載の電源プラグの表示タグ。
【請求項３】
前記電気製品の種類または注意事項等が表示されたシールが、前記表示タグの表面に貼付された請求項１または２記載の電源プラグの表示タグ。
【請求項４】
前記電気製品の種類または注意事項等が点字で表示された請求項１ないし３記載の電源プラグの表示タグ。
【発明の詳細な説明】
【技術分野】
【０００１】本発明は、電気製品の受電をおこなう電源プラグの識別をする表示タグに関する。
【背景技術】
【０００２】パソコン普及によるインターネットの拡大、電気製品の多種多様により電源プラグ数は企業、学校、一般家庭において増える傾向にある。そこで分配コンセント、テーブルタップを使用しての配線数が増し、電源ケーブルが入組んだ状況となる。
電気製品の電源プラグは同形状のものが多く、電源プラグを抜く際誤って意図しない電源プラグを抜くケースを無くすため、特許文献１のように電源コードへのプレート表示や、特許文献２のように電源プラグ樹脂部への製品名表示をおこなう方法が一般的である。
【特許文献１】特開２００２−２４６１０２
【特許文献２】特開２０００−３３１７３７
【０００３】また電源プラグに表示部を形成し、紙等に電気製品の名称を記載して表示部に貼付する方法もある。
【特許文献３】特開２００２−４２９７２
【０００４】さらに電源コードに紐で札を括り付ける方法も一般的である。主に電気配線をおこなう際に用いられる方法である。
【発明の開示】
【発明が解決しようとする課題】
【０００５】特許文献１ではプレートに電気製品名を記載し、専用の留め具を使用し電源コードにプレートを固定しているが、他の電源コードとの状況によりプレートに記載されている電気製品名が容易に確認できないことが考えられる。部品点数も多く取付けする際に手間を要する。実際に抜く電源プラグの電源コードを正面から目視し確認できることを必要とする。
特許文献２では電源プラグの樹脂部に、電気製品名を印刷もしくはシールを貼付し表示しているが、やはりこの表示方法では電源プラグの正面もしくは斜め位置からの確認は容易ではない。また電源プラグの樹脂部分へ加工を必要とし、通常の電源プラグへの汎用性を持っていない。如何なる電源プラグへも使用できる表示方法が望ましい。
特許文献３でも電源プラグに表示部を形成し、紙等で表示する手段を取っているが表示部を形成した電源プラグにしか使用できないものであり、現状使用している電源プラグへの汎用性がない。また目視できる状況が限定されてしまう。
さらに今現在一番多く普及していると思われる方法で、電源コードに紐で札を括り付ける方法では、目視する際手で保持し確認するなど不安定要素がある。電源コードへ括り付けた位置がずれ確認を怠り、注意事項を読まずに電源プラグを抜いてしまう間違いを起こす。また外観的に荷札を連想させ、テーブルタップなどで複数表示する場合何枚かが絡んでしまうなど、一般家庭で使用する場合、外観上の問題が非常に大きい。一般家庭で手軽に使用でき、なおかつ外観性を持った表示方法が必要である。
本発明は、このような問題点を解決できる電源プラグの表示タグを提供することを目的とする。
【課題を解決するための手段】
【０００６】請求項１記載の電源プラグの表示タグは、表面に電気製品の種類または注意事項等の表示部と、電源プラグの端子が差込まれる貫通穴とを備え、前記貫通穴には背面側に突出する端子挟持部が形成され、かつ電気的絶縁材料から形成されている。【０００７】本発明の電源プラグの表示タグの貫通穴を電源プラグの端子に差込み、端子挟持部で端子を挟持する。【０００８】請求項２記載の電源プラグの表示タグは、貫通穴が前記表示タグの長手方向または長手方向と直交する方向に形成されている。【０００９】本発明の電源プラグの表示タグは、電源プラグの差込む向きに応じて、識別し易いタイプを選択して使用する。【００１０】請求項３記載の電源プラグの表示タグは、電気製品の種類または注意事項等が表示されたシールが、前記表示タグの表面に貼付されている。【００１１】本発明の電源プラグの表示タグは、いろいろな種類の表示シールを用意しておき選択することで汎用性を持たせる。【００１２】請求項４記載の電源プラグの表示タグは、電気製品の種類または注意事項等が点字で表示されている。【００１３】本発明の電源プラグの表示タグは、視覚障害者が容易に電源プラグの製品名または注意事項等を識別できる。
【発明の効果】
【００１４】本発明により、電気製品の電源プラグに隣接して表示部が設けられているため、容易に製品名または注意事項等を確認でき、目的の電源プラグを抜くことができる。また、背面側に突出した挟持部により電源プラグの端子への固定性を良くすることで電源プラグの端子からの脱落防止と、表示タグの表裏の誤組付け防止ができる。さらに、表示部はあらゆる製品名または注意事項等を選択的に表示できるので汎用性がある。
また表示方向は電源プラグの上下左右の４方向を選択できるので、使用状況にあった表示方法がとれ汎用性がある。さらに表示タグは一体成形されているので加工や組付けが容易で、外観的にも整理されたものとなる。
そして表示部を点字で表示することで、視覚障害者が容易に電源プラグの製品名または注意事項等を識別できる。
【発明を実施するための最良の形態】
【００１５】以下、本発明の最良の形態を図面に基づいて説明する。
【実施例１】
【００１６】図１ないし４および７において、表示タグ３は、表面にある電気製品の種類または注意事項等の表示部９と電源プラグ１のプラグ端子８が差込まれる貫通穴５とを備え、前記貫通穴５には背面側に突出するプラグ端子８挟持部４が形成され、かつ電気的絶縁材料から形成されている。前記貫通穴５は前記表示タグ３の長手方向に形成されている。【００１７】貫通穴５はプラグ端子８の外径寸法よりも若干小さい寸法とし、挟持部４は突出側先端に向かって先細りとしプラグ端子８に密着することで位置決めされ、落下を抑えるよう設定する。挟持部４の肉厚は、電源プラグ端子８とテーブルタップ２との接続状態を阻害しないような厚さと突出高さとする。【００１８】表示タグ３に形成されている表示部９の外周には外周部リブ７が形成されている。表示部９の外周をリブ形状にすることで、表示シール６を貼付する際の位置決めとなり、貼付を容易にしなおかつ正確に貼付できる。また外周部リブ７を設けることで表示タグ３の変形を抑える機能を持たせる。表示部９と外周部リブ７に段差があることで、表示シール６を外部接触から守る。前記表示部９には表示シール６が貼付されている。【００１９】前記表示シールは、図７の６、６ｂ、６ｃに示すような注意事項等や電気製品の種類を表示したものを用意して、選択して使う。これにより電源プラグ１がどの電気製品の電源プラグであるかが容易に把握できる。
例えば常時監視、警備を行う警報装置等の電源プラグには、表示部９へ注意事項等記載の表示シール６を貼付することで、誤って電源プラグ１を抜いてしまう間違いを防ぐ。また表示シール６ｂは緊急連絡先や設備メンテナンス日等を記載し、日常の安全にも配慮する。【００２０】さらに、表示を点字に変えることで視覚障害者が容易に電気製品名の識別ができる。確実に触れるものとして表示タグ３があり、その表示部９には点字での電気製品名が記載されている。点字はシールもしくは表示部９への直接形成となる。【００２１】図２の表示タグ３を使用する場合、電源プラグ１の上下方向へ表示を可能としている。主に壁コンセント１１への使用や、テーブルタップ２のようなコンセント配列の場合に適している。よってこの形態で２方向の表示を可能としている。【００２２】図３で電源プラグ１に表示タグ３を組付け、表示タグ３が電源プラグ端子８を挟持している状況を背面から示す。突出している側を表示タグ３の裏側とし表示タグ３を使用する際、表裏の誤組付け防止も兼ねている。【００２３】本実施例では表示シールを貼付したが、直接油性マジック等で書き込むこともできる。この表示方法に汎用性があるため、あらゆる電気製品の電源プラグ１への対応が可能となる。【００２４】また本実施例の電源プラグは２極用（アース端子付き３極を含む）だが、他の３極、４極その他いずれにも端子を挿入する貫通穴の数、ピッチ寸法を変更することで適用できる。
【実施例２】
【００２５】図５および６において、貫通穴５ａは表示タグ１０の長手方向と直行する方向に形成され、表示シール６ａが貼付されているが、その他の構成は基本的に実施例１と同じである。表示タグ１０は図６に示すような壁コンセント１１への使用や、テーブルタップのコンセントが縦並びの場合に適している。
よってこのタイプで２方向（左右）の表示を可能としている。
【図面の簡単な説明】
【００２６】
【図１】本発明第１実施例の表示タグを取付けた状態を示す斜視図
【図２】本発明第１実施例の表示タグの表面図
【図３】本発明第１実施例の表示タグを取付けた状態を示す背面斜視図
【図４】図２のＡ−Ａ線断面図
【図５】本発明第２実施例の表示タグの表面図
【図６】本発明第２実施例の表示タグを取付けた状態を示す斜視図
【図７】本発明の表示シールの例を示す表面図
【符号の説明】
１    電源プラグ
２    テーブルタップ
３    表示タグ
４    挟持部
５    貫通穴
５ａ  貫通穴
６    表示シール
６ａ  表示シール
６ｂ  表示シール
６ｃ  表示シール
７    外周部リブ
８    プラグ端子
９    表示部
１０  表示タグ
１１  壁コンセント
【図１】
2010050071.tif 000003
【図２】
2010050071.tif 000004
【図３】
2010050071.tif 000005
【図４】
2010050071.tif 000006
【図５】
2010050071.tif 000007
【図６】
2010050071.tif 000008
【図７】
2010050071.tif 000009